【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
複数の樹脂層からなり、
最表面の前記樹脂層が、不飽和結合、水酸基またはアミノ基を有する分散剤がコーティングされた無機微粒子が添加されたトップコート層を有する化粧シートであって、
前記トップコート層の下面には、超臨界逆相蒸発法によってベシクルに造核剤を内包させた造核剤内包ベシクルを添加した結晶性ポリプロピレン樹脂を主成分とする透明樹脂層が形成されていることを特徴とする化粧シート。
【請求項２】
前記トップコート層は、硬化型樹脂を主成分とすることを特徴とする請求項１に記載の化粧シート。
【請求項３】
前記硬化型樹脂が、アクリルポリオールとイソシアネート化合物との反応物であることを特徴とする請求項２に記載の化粧シート。
【請求項４】
前記ベシクルが、リン脂質からなる外膜を具備するリポソームであることを特徴とする請求項１乃至請求項３のいずれか１項に記載の化粧シート。
【請求項５】
複数の樹脂層からなり、最表面の前記樹脂層が、不飽和結合、水酸基またはアミノ基を有する分散剤がコーティングされた無機微粒子が添加されたトップコート層を有する化粧シートの製造方法であって、
前記トップコート層の下面に、超臨界逆相蒸発法によってベシクルに造核剤を内包させた造核剤内包ベシクルを添加した結晶性ポリプロピレン樹脂を主成分とする透明樹脂層を形成することを特徴とする化粧シートの製造方法。
【手続補正２】
【補正対象書類名】明細書
【補正対象項目名】発明の名称
【補正方法】変更
【補正の内容】
【発明の名称】化粧シートおよび化粧シートの製造方法
【手続補正３】
【補正対象書類名】明細書
【補正対象項目名】０００１
【補正方法】変更
【補正の内容】
【０００１】
本発明は、建築物の外装および内装に用いられる建装材、建具の表面、家電品の表面材などに用いられる化粧シートおよび化粧シートの製造方法に関するもので、特に、不飽和結合、水酸基またはアミノ基を有する分散剤がコーティングされた無機微粒子が添加されたトップコート層を備える化粧シートであって、超臨界逆相蒸発法によりベシクル化された造核剤が添加された透明樹脂層を備えた化粧シートおよび化粧シートの製造方法に関する。
【手続補正４】
【補正対象書類名】明細書
【補正対象項目名】００１０
【補正方法】変更
【補正の内容】
【００１０】
本発明者等は鋭意検討の結果、トップコート層の下面に設けられた透明樹脂層に対して、超臨界逆相蒸発法によってベシクルに造核剤を内包させた造核剤内包ベシクルを添加することにより、透明樹脂層において造核剤の分散性を著しく向上させることに成功し、高い透明性と優れた耐傷性を示すことを見出した。
【手続補正５】
【補正対象書類名】明細書
【補正対象項目名】００１２
【補正方法】変更
【補正の内容】
【００１２】
上記課題を解決するべく、本発明の第１の形態の化粧シートは、複数の樹脂層からなり、最表面の前記樹脂層が、不飽和結合、水酸基またはアミノ基を有する分散剤がコーティングされた無機微粒子が添加されたトップコート層を有する化粧シートであって、前記トップコート層の下面には、超臨界逆相蒸発法によってベシクルに造核剤を内包させた造核剤内包ベシクルを添加した結晶性ポリプロピレン樹脂を主成分とする透明樹脂層が形成されていることを特徴とする。
【手続補正６】
【補正対象書類名】明細書
【補正対象項目名】００１３
【補正方法】変更
【補正の内容】
【００１３】
このような、本発明の第１の形態の化粧シートとすることにより、超臨界逆相蒸発法によってベシクルに造核剤を内包させた造核剤内包ベシクルを透明樹脂層の主成分である結晶性ポリプロピレン樹脂に対して添加することにより、当該造核剤内包ベシクルが凝集して結晶性ポリプロピレン樹脂が白濁することを防ぐことができるとともに、均一に分散した造核剤内包ベシクルに伴って結晶核が生じ結晶性ポリプロピレン樹脂の結晶化度が向上することにより硬度をより高くすることができるので、耐摩耗性はもちろんのこと、意匠性および耐傷性に優れた化粧シートを提供することを可能とする。
【手続補正７】
【補正対象書類名】明細書
【補正対象項目名】００１４
【補正方法】変更
【補正の内容】
【００１４】
本発明の第２の形態の化粧シートは、前記トップコート層は、硬化型樹脂を主成分とすることを特徴とする。また、本発明の第３の形態の化粧シートは、前記硬化型樹脂が、アクリルポリオールとイソシアネート化合物との反応物であることを特徴とする。
【手続補正８】
【補正対象書類名】明細書
【補正対象項目名】００１６
【補正方法】変更
【補正の内容】
【００１６】
本発明の第４の形態の化粧シートは、前記ベシクルが、リン脂質からなる外膜を具備するリポソームであることを特徴とする。このような、本発明の第４の形態の化粧シートとすることにより、透明樹脂層の主成分である結晶性ポリプロピレン樹脂とリポソームとの相溶性をより良好なものとすることができるので、その結果、当該結晶性ポリプロピレン樹脂中への造核剤の分散性を向上させて結晶化度を高めて極めて耐傷性に優れた化粧シートを提供することを可能とする。
【手続補正９】
【補正対象書類名】明細書
【補正対象項目名】００１７
【補正方法】変更
【補正の内容】
【００１７】
本発明の化粧シートの製造方法は、複数の樹脂層からなり、最表面の前記樹脂層が、不飽和結合、水酸基またはアミノ基を有する分散剤がコーティングされた無機微粒子が添加されたトップコート層を有する化粧シートの製造方法であって、前記トップコート層の下面に、超臨界逆相蒸発法によってベシクルに造核剤を内包させた造核剤内包ベシクルを添加した結晶性ポリプロピレン樹脂を主成分とする透明樹脂層を形成することを特徴とする。
【手続補正１０】
【補正対象書類名】明細書
【補正対象項目名】００１８
【補正方法】変更
【補正の内容】
【００１８】
本発明においては、耐摩耗性に優れたトップコート層を備えるとともに、意匠性および耐傷性に優れた透明樹脂層を備える化粧シートおよび化粧シートの製造方法を提供することを可能とする。
【手続補正１１】
【補正対象書類名】明細書
【補正対象項目名】００２０
【補正方法】変更
【補正の内容】
【００２０】
本発明の化粧シートは、複数の樹脂層からなり、最表面の樹脂層が、不飽和結合、水酸基またはアミノ基を有する分散剤がコーティングされた無機微粒子が添加されたトップコート層とされた化粧シートにおいて、当該トップコート層の下面には、超臨界逆相蒸発法によってベシクルに造核剤を内包させた造核剤内包ベシクルを添加した結晶性ポリプロピレン樹脂を主成分とする透明樹脂層が形成されていることが重要である。
【手続補正１２】
【補正対象書類名】明細書
【補正対象項目名】００２７
【補正方法】変更
【補正の内容】
【００２７】
透明樹脂層は、結晶性ポリプロピレン樹脂を主成分とし、後述する超臨界逆相蒸発法によってベシクルに造核剤を内包させた造核剤内包ベシクルが添加されている。
【手続補正１３】
【補正対象書類名】明細書
【補正対象項目名】００３１
【補正方法】変更
【補正の内容】
【００３１】
本発明においては、造核剤に対して超臨界逆相蒸発法を用いてベシクル化することによって、造核剤がナノサイズのカプセル内に内包された造核剤内包ベシクル構造とされており、これによって造核剤内包ベシクル同士が２次凝集することを防止して結晶性ポリプロピレン樹脂中への高い分散性を実現している。また、結晶性ポリプロピレン樹脂中においては、当該造核剤内包ベシクルは外膜の一部またはすべてが崩壊して内包物が露出した状態とされている。当該内包物が樹脂と相溶する物質の場合には、さらに当該樹脂中に内包物が溶けて分散し、内容物が樹脂と相溶しない物質の場合には、内容物が樹脂中に液滴もしくは固体の状態で存在することとされている。
【手続補正１４】
【補正対象書類名】明細書
【補正対象項目名】００３６
【補正方法】変更
【補正の内容】
【００３６】
本発明においては、リン脂質からなる外膜を具備する造核剤内包ベシクルとすることが重要であり、リン脂質からなる外膜を備える造核剤内包ベシクルとすることにより、透明樹脂層の主成分である結晶性ポリプロピレン樹脂との相溶性を向上させて造核剤内包ベシクルの結晶性ポリプロピレン樹脂への分散性をさらに良好なものとすることができ、その結果、均一に分散した造核剤内包ベシクルによって結晶性ポリプロピレン樹脂の結晶化度を向上させ、透明樹脂層の硬度をさらに高くすることができる。
【手続補正１５】
【補正対象書類名】明細書
【補正対象項目名】００４１
【補正方法】変更
【補正の内容】
【００４１】
透明樹脂層４としては、結晶性ポリプロピレン樹脂を主成分として形成し、さらに、超臨界逆相蒸発法によりベシクルに造核剤を内包させた造核剤内包ベシクルが添加されている。造核剤内包ベシクルは、結晶性ポリプロピレン樹脂１００重量部に対して、０．０１〜０．５重量部の割合で添加されていることが好ましい。
【手続補正１６】
【補正対象書類名】明細書
【補正対象項目名】００５２
【補正方法】変更
【補正の内容】
【００５２】
以上のように、本発明の化粧シート１においては、不飽和結合、水酸基またはアミノ基を有する分散剤によって表面がコーティングされた無機微粒子を添加したトップコート層５を備えることによって優れた耐摩耗性を実現しているとともに、結晶性ポリプロピレン樹脂を主成分として超臨界逆相蒸発法によりベシクルに造核剤を内包させた造核剤内包ベシクルが添加された透明樹脂層４を備えることによって意匠性および耐傷性にも優れた化粧シート１を提供することを可能とする。
【手続補正１７】
【補正対象書類名】明細書
【補正対象項目名】００５４
【補正方法】変更
【補正の内容】
【００５４】
＜超臨界逆相蒸発法によりベシクルに造核剤を内包させた造核剤内包ベシクルの調製＞
以下に、超臨界逆相蒸発法によりベシクルに造核剤を内包させた造核剤内包ベシクルの詳しい調製方法を説明する。まず、メタノール１００重量部、造核剤としてのリン酸エステル金属塩系造核剤（アデカスタブＮＡ−１１；ＡＤＥＫＡ社製）８２重量部、ベシクルの外膜を構成するリン脂質としてのホスファチジルコリン５重量部を６０℃に保たれた高圧ステンレス容器に入れて密閉し、圧力が２０ＭＰａになるように当該容器内に二酸化炭素を注入して超臨界状態とする。その後、当該容器内を激しく攪拌するとともに、イオン交換水１００重量部を注入する。温度と圧力を超臨界状態に保ちながらさらに１５分間攪拌混合後、二酸化炭素を容器から排出して大気圧に戻すことで造核剤を内包したリン脂質からなる外膜を具備する造核剤リポソームが得られる。なお、ベシクルの外膜を分散剤などの物質とする場合には、ホスファチジルコリンに替えて上述の分散剤を用いることにより得られる。
【手続補正１８】
【補正対象書類名】明細書
【補正対象項目名】００７９
【補正方法】変更
【補正の内容】
【００７９】
本発明の化粧シートおよび化粧シートの製造方法は、上記の実施形態および実施例に限定されるものではなく、発明の特徴を損なわない範囲において、種々の変更が可能である。